(57)【要約】【課題】足先が滑ることのないようにしてその位置を安定化させ、希望する部位へのマッサージを確実に行うことのできるマッサージ機を提供することである。【解決手段】椅子のシート部（７２）の前方に、被施療者の足先を収容する凹状受部（８２）が形成された足先用マッサージユニット（８０）を具えたもので、凹状受部（８２）の底面の前方寄りに複数の突起（１０５）を形成する。この複数の突起は、足の各指の付け根に沿う如く配置される。【効果】マッサージ中、足先が前方へ滑ろうとしても、突起（１０５）により阻止され、足先の位置を安定させることができる。また突起（１０５）は足裏に指圧の刺激をも与えることができる。【選択図】      図１
2004254910.tif 000002
【特許請求の範囲】
【請求項１】
椅子のシート部の前方に、被施療者の足先を収容する凹状受部が形成されたマッサージユニットを具え、前記凹状受部の底面の前方寄りに複数の突起を形成してなるマッサージ機。
【請求項２】
前記複数の突起は、足の各指の付け根に沿う如く配置されてなる請求項１に記載のマッサージ機。
【請求項３】
前記凹状受部の少なくとも一方の側面には、足先を側面から挟持する挟持手段を設けてなる請求項１又は請求項２のいずれかに記載のマッサージ機。
【請求項４】
前記凹状受部の底面に、指圧子駆動手段により出没して足裏にマッサージを施す指圧子を具備してなる請求項１乃至請求項３のいづれかに記載のマッサージ機。
【請求項５】
前記挟持手段又は指圧子駆動手段は、夫々前記凹状受部の側面又は底面に配置された膨張及び収縮可能な側面エアバック又は底面エアバックより構成される請求項３又は請求項４に記載のマッサージ機。
【請求項６】
椅子のシート部の前方と前記マッサージユニットの間に、被施療者のふくらはぎを収容する凹状受部が形成された脚部用マッサージユニットを配備してなる請求項１乃至請求項５のいづれかに記載のマッサージ機。
【請求項７】
前記凹状受部の底面に、指圧子駆動手段により出没して脚部の裏面にマッサージを施す指圧子を具備してなる請求項６に記載のマッサージ機。
【発明の詳細な説明】
【０００１】
【発明の属する技術分野】
本発明は、椅子のシート部の前方に、被施療者の足先を収容する凹状受部が形成されたマッサージユニットを具えたマッサージ機に関するものである。
【０００２】
【従来の技術】
椅子のシート部の前方に、被施療者の足先を収容する凹状受部が形成されたマッサージユニット具えて、足先にマッサージを施すものとして、例えば、特許文献１に開示されたマッサージ機が知られている。このマッサージ機は、シート部の前方に被施療者のふくらはぎを収納する凹状受部を有する脚部用マッサージユニットが配備され、この脚部用マッサージユニットの先端に、足先を収容する凹状受部が形成されたマッサージユニットが配備され、足裏を、凹状受部の底面に備えた膨張収縮を繰り返す底面エアバックによってマッサージを施すようにしている。
【０００３】
【特許文献１】
特開２００１−９５８６７号公報（第３頁の段落番号０００６〜第５頁の段落番号００３４及び図１）
【０００４】
【発明が解決しようとする課題】
しかしながら、上記特許文献１の構成では、足先を収容する凹状受部の底面が平坦になっているので、施療者の足の長さや、椅子の背凭れ部のシート部に対する角度（一般に背凭れ部はリクライニング構造になっており、シート部に対する角度を任意に調整できる）によっては、足裏やふくらはぎにマッサージを施している際に、足先が前方（爪の方向）に滑ってしまい、その位置を安定しずらいという問題があった。
【０００５】
本発明の目的は、足先が滑ることのないようにしてその位置を安定化させ、希望するの部位へのマッサージを確実に行うことのできるマッサージ機を提供することである。
【０００６】
【課題を解決するための手段】
上記課題を解決するために、本発明のマッサージ機は、椅子のシート部の前方に、被施療者の足先を収容する凹状受部が形成されたマッサージユニットを具え、前記凹状受部の底面の前方寄りに複数の突起を形成したものである。
【０００７】
かかる構成により、凹状受部に収納された足先は、前方へ滑ろうとしても、複数の突起がストパーの役目をして滑ることがなく、その位置が安定化される。また複数の突起は足裏に指圧の刺激をも与えるので、足裏へのマッサージ効果が向上する。また足の位置を自由に変えることで、この複数の突起を足裏の任意の位置に当て、この任意の位置に対して、指圧マッサージを施すことができる。
【０００８】
具体的に前記複数の突起は、足の各指の付け根に沿う如く配置されており、このようにすれば、滑り止めのストッパー効果をより発揮できる。
【０００９】
【発明の実施の形態】
以下、本発明のマッサージ機を実施例に基づいて説明する。図１に示すように、椅子型のマッサージ機（７０）のシート部（７２）の前方には、脚部用マッサージユニット（１０）が配備され、脚部用マッサージユニット（１０）の先端には、本発明の構造を実施した足先用マッサージユニット（８０）が配備される。椅子型マッサージ機（７０）の本体部分は、公知のものを用いることができる。例えば、図１及び図２に示すように、椅子の背凭れ部（７４）に左右一対の施療指（７６）（７６）を有するマッサージ機構（７５）が配置され、マッサージ機構（７５）は、背凭れ部（７４）に沿って上下に昇降可能であり、施療指（７６）（７６）を互いに接近離間して被施療者に揉みマッサージを施したり、上下に揺動して叩きマッサージを施すことができる。背凭れ部（７４）は、図示しない布カバーで覆われ、シート部（７２）に対して任意の角度で位置決め可能に連結されている。
【００１０】
脚部用マッサージユニット（１０）
マッサージ機（７０）のシート部（７２）の前方には、連結フレーム（１４）を介して、回動自在且つ任意の角度で位置決め可能に脚部用マッサージユニット（１０）が配備される。
【００１１】
脚部用マッサージユニット（１０）は、図３に示すように、マッサージケース（１２）に被施療者の脚部（ふくらはぎ）を挿入する一対の樋状の凹状受部（２０）（２０）を形成し、凹状受部（２０）（２０）の各々に、挟持手段としての側面エアバック（３０）と指圧子駆動手段（４０）を配備して形成される。指圧子駆動手段として、底面エアバック（４０）を用いた例について説明するが、指圧子駆動手段はこれに限定されず、例えば、モータ等で駆動する機構としてもよい。同様に挟持手段も側面エアバック（３０）に限定されることはない。
【００１２】
マッサージケース（１２）は、凹状受部（２０）（２０）の底面（２６）（２６）を構成する底壁（１５）と、該底壁（１５）の両端から上方に向けて平行に形成された第１側壁（１６）（１６）と、該第１側壁（１６）（１６）の間に第１側壁（１６）（１６）と対向するよう突設された第２側壁（１８）とを具える。マッサージケース（１２）は樹脂等によって形成することができる。底壁（１５）には、マッサージ機（７０）に連繋する連結フレーム（１４）が形成されている。凹状受部（２０）は、左右一対の第１側壁（１６）、第２側壁（１８）及び底壁（１５）によって形成される。
凹状受部（２０）には、第１側壁（１６）又は第２側壁（１８）の側壁面の一方に側面エアバック（３０）が配備される。実施例では、夫々外側に位置する第１側壁（１６）の側壁面（２２）に沿うように側面エアバック（３０）が取り付けられている。また、他方の側壁面（２４）（実施例では第２側壁（１８）の側壁面）には後述する弾性部材（５０）が張り付けられている。
【００１３】
側面エアバック（３０）は、ポリエチレン等から構成することができる。側面エアバック（３０）は、側壁面（２２）に完全に接着等を施すと、膨張、収縮の際に側面エアバック（３０）の接着部分に応力が生じてしまうことがある。従って、可撓性のベルト（３２）と側面エアバック（３０）を一体に成形し、ベルト（３２）の先端をマッサージケース（１２）の底面（２６）にネジ止め等して取り付けることが望ましい。
【００１４】
側面エアバック（３０）は、バルブを介してエアポンプ（図示せず）に接続され、エアポンプからの空気の供給を受けて膨張する。
【００１５】
弾性部材（５０）は、側面エアバック（３０）を膨張させたときに、被施療者の脚部が埋没する程度の弾性力を有するものを用いることが望ましく、ウレタン樹脂やスポンジ、発泡樹脂等から構成することができる。
【００１６】
凹状受部（２０）（２０）の底面（２６）（２６）には、図３に示すように、底面エアバック（４０）（４０）が取り付けられている。底面エアバック（４０）には、夫々ウレタン樹脂等からなる指圧子（４２）が突設されている。底面エアバック（４０）は、ナイロン製の布地にウレタンをラミネートしたものを袋状に溶着し、袋には指圧子（４２）が入る穴を設け、そこに指圧子（４２）を嵌め込み溶着している。指圧子（４２）は柔軟な状態で装着されるので、底面エアバック（４０）が膨張したときに、被施療者の患部に指圧子（４２）の全体がフィットし、患部の一部分のみを押圧するようなことがないようにしている。
【００１７】
底面エアバック（４０）及び指圧子（４２）は、凹状受部（２０）の長さ方向（前後方向）沿って３個配備され、夫々の底面エアバック（４０）は、バルブを介してエアポンプ（図示せず）に接続され、エアポンプからの空気の供給を受けて独立して膨張、収縮できる。
【００１８】
上記マッサージユニット（１０）は、布カバー（図示せず）で表面を覆い、連結フレーム（１４）を介して図１に示すように、マッサージ機（７０）のシート部（７２）に取り付けられる。この布カバーで覆うことにより、側面エアバック（３０）は、側壁面（２２）に接着等しなくても、凹状受部（２０）内へ倒れることはなく、側壁面（２２）に沿って保持される。
被施療者が椅子型マッサージ機（７０）に腰掛けた状態で、脚部（ふくらはぎ）を凹状受部（２０）（２０）に夫々挿入し、側面エアバック（３０）を膨張させると、被施療者の脚部が、側面エアバック（３０）に押されて弾性部材（５０）  へと押し付けられ、弾性部材（５０）が脚部の形状に応じて変形し弾性部材に埋没していく。これにより、側面エアバック（３０）の膨張力を大きくしなくとも脚部は凹状受部（２０）から逃げることなく安定して保持される。
【００１９】
従ってこの側面エアバック（３０）の膨張収縮を繰り返すことによって、強い圧迫感を感じることなく脚部に快適な揉みマッサージを施すことができる。
また、側面エアバック（３０）を膨張させた状態で底面エアバック（４０）を膨張させると、指圧子（４２）が突出して、指圧子（４２）が脚部の裏面を指圧マッサージする。脚部は側面エアバック（３０）と弾性部材（５０）によって安定的に保持されているので、指圧子（４２）の押圧力によって、脚部が凹状受部（２０）から押し出されてしまうことを防止する。
側面エアバック（３０）と底面エアバック（４０）を一定時間毎に、または、ランダムに膨張、収縮させることによって、脚部に揉みマッサージ、指圧マッサージを組み合わせたマッサージを施すことができる。
【００２０】
足先用マッサージユニット（８０）    
上記脚部用マッサージユニット（１０）の先端には、図１及び図２に示すように、足先用マッサージユニット（８０）が連結されている。足先用マッサージユニット（８０）は、図示省略するリンク機構により、常に水平状態（図１の状態）を維持できるように連結されており、図２に示すように、脚部用マッサージユニット（１０）を揺動させても、足先用マッサージユニット（８０）は水平状態を保つ。従って、図２の状態で、被施療者がマッサージ機（７０）に腰掛けたときに、足を前方に伸ばすことができる。
【００２１】
足先用マッサージユニット（８０）は、図４に示すように、マッサージケース（８１）に被施療者の足先（くるぶしよりも下の部分）を挿入する一対の凹状受部（８２）（８２）を形成し、凹状受部（８２）（８２）の各々に、挟持手段としての側面エアバック（８３）と指圧子駆動手段（８４）を配備して形成される。指圧子駆動手段として、底面エアバック（８４）を用いた例について説明するが、指圧子駆動手段はこれに限定されず、例えば、モータ等で駆動する機構としてもよい。同様に挟持手段も側面エアバック（８３）に限定されることはない。
【００２２】
マサージケース（８１）は、図４に示すように、凹状受部（８２）（８２）の底面（８５）（８５）を構成する底壁（８６）と、該底壁（８６）の両端から上方に向けて平行に形成された第１側壁（８７）（８７）と、該第１側壁（８７）（８７）の間に第１側壁（８７）（８７）と対向するよう突設された第２側壁（８８）とを具える。マッサージケース（８１）は樹脂等によって形成することができる。マッサージケース（８１）の裏側には、マッサージケース（８１）骨組みを構成する後述する金属製のフレーム構造体（１００）と、脚部用マッサージユニット（１０）に連繋する連結フレーム（８９）が配備されている。
【００２３】
凹状受部（８２）は、左右一対の第１側壁（８７）、第２側壁（８８）及び底壁（８６）によって形成される。
【００２４】
凹状受部（８２）には、第１側壁（８７）又は第２側壁（８８）の側壁面の一方に側面エアバック（８３）が配備される。実施例では、夫々外側に位置する第１側壁（８７）の側壁面（９０）に沿うように側面エアバック（８３）が取り付けられている。また、他方の側壁面（９１）（図４では第２側壁（８８）の側壁面）には後述する弾性部材（９２）が張り付けられている。
【００２５】
側面エアバック（８３）は、ポリエチレン等から構成することができる。側面エアバック（８３）は、側壁面（９０）に完全に接着等を施すと、膨張、収縮の際に側面エアバック（８３）の接着部分に応力が生じてしまうことがある。従って可撓性のベルト（９３）と側面エアバック（８３）を一体に成形し、ベルト（９３）の先端を凹状受部（８２）（８２）の底面（８５）（８５）にネジ止め等して取り付けることが望ましい。
【００２６】
側面エアバック（８３）は、バルブを介してエアポンプ（図示せず）に接続され、エアポンプからの空気の供給を受けて膨張する。
【００２７】
弾性部材（９２）は、側面エアバック（８３）を膨張させたときに、被施療者の足先が埋没する程度の弾性力を有するものを用いることが望ましく、ウレタン樹脂やスポンジ、発泡樹脂等から構成することができる。
【００２８】
凹状受部（８２）（８２）の底面（８５）（８５）の裏側には、図５に示すように、底面エアバック（８４）（８４）が配備される。底面エアバック（８４）には、ウレタン樹脂等からなる指圧子（９５）が突設されている。底面エアバック（８４）は、ナイロン製の布地にウレタンをラミネートしたものを袋状に溶着し、袋には指圧子（９５）が入る穴を設け、そこに指圧子（９５）を嵌め込み溶着している。指圧子（９５）には、図４の如く２つの突部（９７）が横方向に並んで形成されている。
【００２９】
凹状受部（８２）（８２）の底面（８５）（８５）には、底面エアバック（８４）が膨張したときに、指圧子（９５）が底面（８５）より突出するように孔（９６）が設けられている。底面エアバック（８４）の収縮時には、指圧子（９５）が孔（９６）よりわずかに突出するか突出しないようにその高さが設定されており、足先を底面（８５）上に置いた場合に指圧子（９５）により痛みを感じることのないようにしている。
【００３０】
底面エアバック（８４）もバルブを介してエアポンプ（図示せず）に接続され、エアポンプからの空気の供給を受けて膨張する。
【００３１】
ここで底面エアバック（８４）  （８４）の取り付け方について図５及び図６に基づいて説明する。マッサージケース（８１）の裏側には、その周囲を囲むように骨組みとなる金属製のフレーム構造体（１００）が固定されている。この固定は、凹状受部（８２）（８２）の底面（８５）（８５）上よりねじ込まれるネジ（１０１）により行われる。この底面（８５）（８５）とフレーム構造体（１００）との間には、底面エアバック（８４）（８４）を受ける樹脂製のエアバック受け（１０２）（１０２）の端部が挟持されており、このエアバック受け（１０２）（１０２）も前記ネジ（１０１）によりフレーム構造体（１００）に固定される。即ち、マッサージケース（８１）とエアバック受け（１０２）（１０２）が前記フレーム構造体（１００）に共締めされる。
【００３２】
組み立てるには、エアバック受け（１０２）（１０２）に底面エアバック（８４）（８４）を収納し、このエアバック受け（１０２）（１０２）を、その上端に設けた爪（１０３）を底面（８５）に形成した係合孔（１０４）に係合することにより底面（８５）に一旦仮止めし、然る後前記ネジ（１０１）によりフレーム構造体（１００）にマッサージケース（８１）と共に固定する。このようにすることにより、組立作業性が改善され、また組立工数の削減が図られる。
【００３３】
前記仮止め手段としての爪（１０３）と係合孔（１０４）は一つのエアバック受け（１０２）に４箇所形成されいる。図４では、そのうちの２個所が現れているが、残りの２箇所は、弾性部材（９２）の下に位置して隠れている。
【００３４】
ところで各凹状受部（８２）（８２）の底面（８５）（８５）の前方には、図４の如く４個の小さな突起（１０５）が一体に形成されている。この突起（１０５）は、底面（８５）上に足を置いた際、足の各指の付け根に位置するように、一般的な指の付け根の形状に合わせるように、左右方向に少しばかり円弧を描いて配設されている。
【００３５】
上記マッサージユニット（８０）は、布カバー（図示せず）で表面を覆い、連結フレーム（８９）（図４参照）を介して図１及び図２に示すように、脚部用マッサージユニット（１０）に取り付けられる。この布カバーで覆うことにより、側面エアバック（８３）は、側壁面（９０）に接着等しなくても、凹状受部（８２）内へ倒れることはなく、側壁面（９０）に沿って保持される。
被施療者が椅子型マッサージ機（７０）に腰掛け、脚部（ふくらはぎ）を前述の脚部用マッサージユニット（１０）に挿入し、足先を足先用マッサージユニット（８０）の凹状受部（８２）（８２）に夫々挿入した状態で、側面エアバック（８３）を膨張させると、被施療者の足先（９９）が、側面エアバック（８３）に押されて、弾性部材（９２）に埋没してゆく。これにより、側面エアバック（８３）の膨張力を大きくしなくとも足先は凹状受部（８２）から逃げることなく安定して保持される。
【００３６】
従ってこの側面エアバック（８３）の膨張収縮を繰り返すことによって、強い圧迫感を感じることなく足先に快適な揉みマッサージを施すことができる。
【００３７】
側面エアバック（８３）を膨張させた状態で、底面エアバック（８４）を膨張させると、図５に示すように、指圧子（９５）が突出して足裏を指圧マッサージする。足先（９９）は側面エアバック（８３）と弾性部材（９２）に安定的に保持されているので、指圧子（９５）の押圧力によって、足先（９９）が凹部（８２）から押し出されてしまうこともなく、効果的な指圧マッサージを施すことができる。
【００３８】
この底面エアバック（８４）に圧縮空気を供給して膨張させ指圧子（９５）を突出させた場合、足裏より強い応力が底面エアバック（８４）に加わり、エアバック受け（１０２）がこの応力に耐え切れなくなる恐れがあるところ、エアバック受け（１０２）はマッサージケース（８１）と共に金属製のフレーム構造体（１００）に固定されているので、エアバック受け（１０２）はこのフレーム構造体（１００）に堅個に支持され、底面エアバック（８４）が受ける応力に対して充分に耐えられる構造とすることができる。
【００３９】
なお、指圧子（９５）の左右の２つの突起（９７）は、足裏の特に土踏まずの形状に合わせてその高さを設定すれば土踏まずを効果的に指圧することができる。
【００４０】
ところでこのマッサージ中、背凭れ部（７４）のリクライニング角度や、施療者の足の長さなどによっては足先が前方（足先の方向）へ滑ることがあるが、前記４個の突起（１０５）により、足先が前方（足先の方向）へ滑らないようにすることができ、足先を所定の位置に保持できる。このことにより、足の位置が安定して、希望とする部位へのマッサージを確実に行なうことができる。特に突起（１０５）が実施例のように、足の指の付け根の部分に対応するように配置されていると、足の指と指の間に突起（１０５）を位置させることができ、足先の滑り止め効果（ストッパー効果）をより発揮させることができる。
【００４１】
またこの突起（１０５）により、足の指の付け根の部分が刺激を受けて、指圧マッサージの効果も得ることができる。そして足の位置を被施療者が自ら動かすことによって、希望する任意の部位へ突起（１０５）を当てて、この部位に対して指圧マッサージを施すことができる。
【００４２】
上記の突起（１０５）による滑り止めの効果は、脚部用マッサージユニット（１０）の底面エアバック（４０）を膨張させて、指圧子（４２）による脚部の裏面を指圧マッサージしている時などにも有効である。それは、指圧子（４２）に押されて足先が前方へ滑ろうとするのを阻止できるからである。
【００４３】
側面エアバック（８３）と底面エアバック（８４）を一定時間毎に、または、ランダムに膨張、収縮させることによって、足先に揉みマッサージ、指圧マッサージを組み合わせたマッサージを施すことができる。
【００４４】
【発明の効果】
本発明のマッサージ機は、被施療者の足先を収容する凹状受部の底面の前方寄りに複数の突起を形成したので、凹状受部に収納された足先は、前方へ滑ろうとしても、複数の突起がストパーの役目をして滑ることがなく、足先を所定の位置に保持でき、足の位置が安定して、希望とする部位へのマッサージを確実に行なうことができる。
【００４５】
特に複数の突起を、足の指の付け根の部分に対応するように配置すれば、足の指と指の間に突起を位置させて、足先の滑り止め効果をより発揮させることができる。
【００４６】
また複数の突起は足裏に指圧の刺激をも与えるので、足裏へのマッサージ効果を向上することもできる。
【図面の簡単な説明】
【図１】マッサージユニットを装着した椅子型マッサージ機の斜視図である。
【図２】マッサージユニットを揺動した状態を示すマッサージ機の斜視図である。
【図３】脚部用マッサージユニットの斜視図である。
【図４】足先用マッサージユニットの斜視図である。
【図５】足先用マッサージユニットの断面図である。
【図６】足先用マッサージユニット分解断面図である。
【符号の説明】
（７２）シート部
（８２）  凹状受部
（８０）  足先用マッサージユニット
（１０５）    突起
（８３）側面エアバック（挟持手段）
（８４）底面エアバック（指圧子駆動手段）
（９５）指圧子
（２０）凹状受部
（１０）脚部用マッサージユニット
（４０）底面エアバック（指圧子駆動手段）
（４２）  指圧子
【図１】
2004254910.tif 000003
【図２】
2004254910.tif 000004
【図３】
2004254910.tif 000005
【図４】
2004254910.tif 000006
【図５】
2004254910.tif 000007
【図６】
2004254910.tif 000008